(57)【要約】【課題】結び目が予め一体的に形成されたネクタイ本体と、該ネクタイ本体を装着するための取り付け具とを別体に形成し、単一の取り付け具に対して、多種のネクタイ本体が着脱自在に交換可能とし、安価に多種のネクタイを交換使用可能とする。【解決手段】予め結び目部１０２が縫製され該結び目部１０２に連結部材１１が一体的に組み込まれたネクタイ本体１０と、前記連結部材１１に着脱自在に連結される連結部材２１が一体的に組み込まれ前記ネクタイ本体１０を所定の位置に留めるためのネクタイ本体留め部材（首紐部材）２０とから成る。単一のネクタイ本体留め部材２０に対して、多種多様のネクタイ本体１０を交換可能に連結して使用することができる。【選択図】図１
2006138028.tif 000002
【特許請求の範囲】
【請求項１】
予め結び目が縫製され該結び目部に連結部材が一体的に組み込まれたネクタイ本体と、前記連結部材に着脱自在に連結される連結部材が一体的に組み込まれ前記ネクタイ本体を所定の位置に留めるためのネクタイ本体留め部材とから成ることを特徴とするネクタイ。
【請求項２】
予め結び目が縫製され該結び目部に連結部材が一体的に組み込まれたネクタイ本体と、前記連結部材に着脱自在に連結される連結部材が一体的に組み込まれ前記ネクタイ本体を所定の位置に留めるためのネクタイ本体留め部材とを有し、前記ネクタイ本体に一体的に組み込まれた連結部材が非金属部材であることを特徴とするネクタイ。
【請求項３】
予め結び目が縫製され該結び目部に連結部材が一体的に組み込まれたネクタイ本体であって、該ネクタイ本体に一体的に組み込まれた前記連結部材が非金属部材であることを特徴とするネクタイ本体。
【発明の詳細な説明】
【技術分野】
【０００１】
本発明は、予め結び目が形成されているネクタイ本体と、該ネクタイ本体を所定の箇所に留めるための留め部材とを別体に形成するとともに、これらネクタイ本体と留め部材とを着脱自在とし、複数種のネクタイ本体に対して単一の留め部材を共通使用可能とし、もって、種々のネクタイ本体を安価に製作可能とし、種々のネクタイを安価に着用可能としたネクタイに関する。
【０００２】
更には、予め結び目が形成されたネクタイ本体の前記結び目に該ネクタイ本体を所定の箇所に着脱自在に留めるための連結部材を有するとともに、前記連結部材を非金属材で形成し、該ネクタイ本体の前記結び目部内に残留する金属を探知する際に、前記連結部材が金属探知を阻害しないようにしたネクタイに関する。
【背景技術】
【０００３】
ネクタイの装着を簡単にするために、ネクタイに予め結び目（ノット）を形成しておき、この結び目に首紐を通したり、首紐を留め付けたりして、この首紐を首に装着してネクタイを装着したりする、或いは、結び目の裏に鉤状の取り付け具を縫い付け、この取り付け具をワイシャツ等の襟元に留めてネクタイを装着することが提案されている。
【０００４】
図３は、結び目が予め形成してあるネクタイの従来の一例を説明するための要部概略構成図で、図３に示した例は、大剣部１、結び目２、及び、首紐３１，３２が予め一体的に形成されており、首紐３１，３２の端部を面ファスナー等で着脱自在に連結することで、その都度、結び目を形成することなく、単に、首紐３１，３２の端部を首の後側で連結するだけで、ネクタイを装着できるようにしたものである。
【０００５】
図４に示した例は、大剣部１と結び目部２を予め一体的に形成してネクタイ本体とし、このネクタイ本体の結び目部２に首紐４を通しておき、装着時、首紐４を矢印Ａ方向に引き出し、該首紐４によって形成される輪５に頭を通して首まわりに装着し、その後、首紐４を矢印Ｂ方向に引いて輪５を使用者の首まわりに合せ、留め部材６によって首紐４の移動を抑え、これによって、その都度、結び目を形成することなく、ネクタイを装着できるようにしている。
【０００６】
図５に示した例は、大剣部１と結び目部２を一体的に形成してネクタイ本体とすることとともに、この結び目の裏側に鉤状の取り付け具７を一体的に取り付けておき、この取り付け具７をワイシャツ等の襟元に留めるようにして、ネクタイを装着するようにしている。
【発明の開示】
【発明が解決しようとする課題】
【０００７】
図３に示したネクタイは、大剣部１と結び目部２と首紐３とが予め一体的に形成されており、特に、首紐３までが一体的に形成されているため、製作に時間がかかり、その分、コスト高となる欠点があった。
【０００８】
図４に示した例は、大剣部１と結び目部２が一体的に形成されたネクタイ本体部に対して、首紐４が別体に形成されており、単一の首紐４に対して、多種のネクタイ本体を交換使用可能であり、一見、安価に製作できそうであるが、ネクタイ本体に首紐を装着するのが困難（面倒）であり、実際には、これらネクタイ本体と首紐は一体のまま使用されており、図３に示した例と同様、コストの高いものとなっていた。
【０００９】
図５に示した例は、ネクタイ本体の結び目部に鉤状の取り付け具７を設け、この取り付け具７をワイシャツ等の襟元に取り付けるようにしたもので、首紐を必要とせず、その分、コスト安に製作することができるが、取り付け具にある程度の強度を必要とし、そのため、取り付け具の材質に金属を用いている。
【００１０】
而して、前述のごとき、結び目が予め形成されたネクタイにおいては、結び目に縫い針等の金属部材が縫い込まれている危険があり、そのため、この結び目全てに対して金属探知を行っている。しかしながら、この結び目に、図５に示した例のように、取り付け具に金属部材を用いていると、金属探知機が誤動作してしまい、結び目内に残留している縫い針等の金属部材を確実に検知することができなかった。
【課題を解決するための手段】
【００１１】
本発明は、予め結び目が縫製され該結び目部に連結部材が一体的に組み込まれたネクタイ本体と、前記連結部材に着脱自在に連結される連結部材が一体的に組み込まれ前記ネクタイ本体を所定の位置に留めるためのネクタイ本体留め部材とから成ることを特徴としたものである。
【００１２】
本発明は、予め結び目が縫製され該結び目部に連結部材が一体的に組み込まれたネクタイ本体と、前記連結部材に着脱自在に連結される連結部材が一体的に組み込まれ前記ネクタイ本体を所定の位置に留めるためのネクタイ本体留め部材とを有し、前記ネクタイ本体に一体的に組み込まれた連結部材が非金属部材であることを特徴としたものである。
【００１３】
本発明は、予め結び目が縫製され該結び目部に連結部材が一体的に組み込まれたネクタイ本体部であって、該ネクタイ本体部に一体的に組み込まれた前記連結部材が非金属部材であることを特徴としたものである。
【発明の効果】
【００１４】
本発明によると、結び目が予め一体的に形成されたネクタイ本体部と、該ネクタイ本体部を装着するための取り付け具とが別体に形成されており、単一の取り付け具に対して、多種のネクタイ本体部が着脱自在に交換可能であるため、安価に多種の（形状、色、模様等の異なる）ネクタイを交換使用可能である。
【００１５】
また、結び目が予め形成されているネクタイ本体の前記結び目部に設けられる連結部材に金属部材を使用しないので、該結び目部内に残留している金属を探知する際に、該連結部材によって金属探知機が誤作動する恐れが無い。
【発明を実施するための最良の形態】
【００１６】
図１は、本発明によるネクタイの一実施例を説明するための要部構成図で、図中、１０はネクタイ本体部１０１と結び目部１０２とからなるネクタイ本体、２０は該ネクタイ本体１０を着脱自在に装着する連結部材を備えたネクタイ本体留め部材（首紐部材）で、ネクタイ本体１０と首紐部材２０とは別体に形成され、連結部材によって着脱自在になっている。なお、図１において図１（Ａ）は、ネクタイ本体１０を裏側から見た図を示し、図１（Ｂ）は、ネクタイ本体１０と首紐部材２０を一体的に連結し、ネクタイ本体１０を前面から見た図を示す。
【００１７】
図１において、１１はネクタイ本体１０の結び目部１０２に一体的に縫いこまれた連結部材、２１は首紐部材２０に一体的に取り付けられた連結部材で、連結部材１１と２１は雌雄の関係にあり、図示例の場合、連結部材１１が雄型、２１が雌型であるが、雌雄の関係は、必ずしも、図示例の関係に限定されるものではなく、逆の関係でもよく、また、連結部材の構造も図示例のものに限定されるものではない。
【００１８】
なお、図１に示した連結部材１１，２１は、ネクタイ本体１０と首紐部材２０を連結するときは、周知のように、雄連結部材１１の突出先端１１ａを雌連結部材２１の挿入孔２１ａに挿入すると、雄連結部材１１の両側アーム１１ｂの後端が雌連結部材２１の両側に設けられた穴内に入り、これにより、両連結部材１１と２１が分離不可に連結され、ネクタイ本体１０と首紐２０を一体的に連結する。その後、首紐部材２０を首まわりにまいて、両端部を、例えば、前述のごとき雌雄連結機構或いは面ファスナー２２等で連結することにより、ネクタイを装着することができる。ネクタイを取り外すときは、雌連結部材２１の両側の弾性アーム２１ｂを外側から押すことにより、雄連結部材１１の両側アーム１１ｂを押して該両側アームの先端を前述の穴から押し出して、該両側アームと穴との係合を解除し、これにより、ネクタイ本体１０と首紐部材２０とを分離することができるようになっている。
【００１９】
図１には、ネクタイ本体１０として、蝶ネクタイを想定した結び目の例を示したが、図３〜図５に示したような、大剣部を有する通常のネクタイ本体に前記連結部材１１と同様の連結部材を組み込んでおくことにより、形状の異なるネクタイを交換して装着することが可能で、更には、同じ形状のネクタイ本体であっても、単一の首紐に対して色や模様の異なる種々のネクタイ本体を交換して装着することが可能であり、より安価に、多種、多様のネクタイを交換して装着することができる。
【００２０】
図２は、図１に示した首紐に代って、通常のクリップ（ネクタイ本体留め部材）３０に連結部材２０を設け、ネクタイ本体１０をワイシャツの襟等に留めるようにした場合の例を示す図で、該クリップ３０は、装着前は、押し板３１を図２（Ｂ）に示す状態にして鰐口Ｗを開き、この鰐口Ｗ内に例えばワイシャツの襟を挿入し、その状態で押し板３１を矢印Ａ方向に押すと、該押し板３１の先端３１ａがばね板３２を押し、鰐口Ｗにワイシャツの襟を挟んだ状態で閉じ、これによって、クリップ３０を例えばワイシャツ襟に固定することができるようになっている。なお、クリップ３０を取り外すときは、押し板３１を鰐口を閉じる時と逆の矢印Ｂ方向に回動する。
【００２１】
図２に示した例は、上述のごとき、周知のクリップ３０の押し板３１の表面に図１に示した連結部材２１と同様の連結部材を一体的に取り付けたもので、このようにしても、単一のクリップ部材に対して多種、多様のネクタイ本体を交換自在に装着することができ、しかも、ネクタイ本体に金属部材を使用する必要がないので、ネクタイ本体の結び目内の金属探知に誤検知の恐れがない。
【図面の簡単な説明】
【００２２】
【図１】本発明によるネクタイの一実施例を説明するための要部構成図である。
【図２】本発明によるネクタイのネクタイ本体取り付け具の例を説明するための要部構成図である。
【図３】従来の結び目が予め形成してあるネクタイの一例を説明するための概略構成図である。
【図４】従来の結び目が予め形成してあるネクタイの他の例を説明するための概略構成図である。
【図５】従来の結び目が予め形成してあるネクタイの他の例を説明するための概略構成図である。
【符号の説明】
【００２３】
１０…ネクタイ本体、１０１…ネクタイ本体部、１０２…結び目部、１１…連結部材（雄）、２０…ネクタイ本体留め部材（首紐部材）、２１…連結部材（雌）、３０…クリップ、３１…押し板。
【図１】
2006138028.tif 000003
【図２】
2006138028.tif 000004
【図３】
2006138028.tif 000005
【図４】
2006138028.tif 000006
【図５】
2006138028.tif 000007